(57)【要約】【課題】効果的に動物の侵入を防げるフェンスを提供する。【解決手段】フェンス１０は、複数の支柱１２と、横板１４と、太陽光発電パネル１６と、縦板１８と、電線２０と、蓄電装置２２を備えている。横板１４は、前面１４ｃが斜め上方を向くように支柱１２間に設けられている。太陽光発電パネル１６は、横板１４の前面１４ｃに設けられている。縦板１８は、横板１４の下方で支柱１２間に設けられている。縦板１８の下端１８ｃは埋設されている。電線２０は、横板１４の上方に設けられ、太陽光発電パネル１６で発電した電力によって電流が流れ、電流が流れている状態で動物が触れると電気ショックを受ける。蓄電装置２２は、太陽光発電パネルで発電した電力を蓄える。【選択図】図１
0003213604.tif 000002
【実用新案登録請求の範囲】
【請求項１】
複数の支柱と、
前面が斜め上方を向くように前記支柱間に設けられた横板と、
前記横板の前面に設けられた太陽光発電パネルと、
前記横板の下方で前記支柱間に設けられた縦板と、
を有するフェンス。
【請求項２】
請求項１において
前記太陽光発電パネルで発電した電力を蓄える蓄電装置をさらに有するフェンス。
【請求項３】
請求項１または２において
前記縦板の下端が埋設されているフェンス。
【請求項４】
請求項１から３のいずれかにおいて
前記太陽光発電パネルで発電した電力によって電流が流れ、電流が流れている状態で動物が触れると電気ショックを受ける電線を前記横板の上方にさらに有するフェンス。
【請求項５】
請求項１から４のいずれかにおいて
前記太陽光発電パネルで発電した電力によって、前記横板の前面の向きが変更できるフェンス。
【考案の詳細な説明】
【技術分野】
【０００１】
本考案は、動物の侵入を防ぐ防護柵として使用できるフェンスに関するものである。
【背景技術】
【０００２】
畑や果樹園などの農地等に動物が侵入するのを防ぐ防護柵として電気柵が知られていている。電気柵は電線を備えている。電気柵は、電線に弱い電流を流し、外側から近づいて電線に触れた動物にショックを与え、動物を遠ざけている。しかしながら、農地に電気を引くのにコストがかかる場合がある。また、動物が地面を掘って、一番低い電線と低くなった地面の間から電気柵の内側に侵入するおそれがある。
【考案の概要】
【考案が解決しようとする課題】
【０００３】
本考案はこのような事情に鑑みてなされたものであり、電気を引く必要がなく、効果的に動物の侵入を防ぐ防護柵として使用できるフェンスを提供することを目的とする。
【課題を解決するための手段】
【０００４】
本考案のフェンスは、複数の支柱と、前面が斜め上方を向くように支柱間に設けられた横板と、横板の前面に設けられた太陽光発電パネルと、横板の下方で支柱間に設けられた縦板とを有している。
【考案の効果】
【０００５】
本考案のフェンスによれば、横板と横板の下方の縦板との組み合わせによって、動物の侵入を防げる。
【図面の簡単な説明】
【０００６】
【図１】本発明の実施形態に係るフェンスの正面模式図。
【図２】本発明の実施形態に係るフェンスの拡大側面模式図。
【図３】本発明の実施形態に係るフェンスの背面模式図。
【図４】本発明の変形例に係るフェンスの拡大断面模式図。
【考案を実施するための形態】
【０００７】
以下、本考案のフェンスについて、図面を参照しながら実施形態に基づいて説明する。なお、図面は、フェンス、フェンスの構成部材、およびフェンスの周辺部材を模式的に表したものであり、これらの実物の寸法および寸法比は、図面上の寸法および寸法比と必ずしも一致していない。また、特にことわらない限り、本明細書では便宜上、図１に示すフェンスの向きを基準に、前後、上下、横、および縦などの方向を規定する。重複説明は適宜省略し、同一部材には同一符号を付与することがある。
【０００８】
図１は、本考案の実施形態に係るフェンス１０の正面を示している。図２は、フェンス１０の側面の一部を拡大して示している。図３は、フェンス１０の背面を示している。フェンス１０は、複数の支柱１２と、横板１４と、太陽光発電パネル１６と、縦板１８と、電線２０と、蓄電装置２２を備えている。フェンス１０を複数設けることによって、農地、屋敷、商業施設、または公共施設等の周りをフェンス１０で囲める。
【０００９】
支柱１２の下部は、コンクリート基礎等によって、フェンス１０の設置場所に埋設されている。支柱１２は金属製で、正方形を底面とした中空の四角柱形状を備えている。支柱１２の数量、材質、大きさ、および形状等は特に制限がない。横板１４は、図２に示すように、上下面に溝１４ａ，１４ｂをそれぞれ備えている。そして、支柱１２にネジ止めされた取付部材２４の上端部２４ａと下端部２４ｂが、挟むように溝１４ａ，１４ｂにそれぞれ嵌め込まれることによって、横板１４が支柱１２間に設置されている。横板１４の数量、材質、大きさ、および形状等は特に制限がない。
【００１０】
取付部材２４は金属板を曲げ加工して作製される。なお、取付部材２４の数量、材質、大きさ、形状、製造方法、および支柱１２への固定方法等は特に制限がない。横板１４は、取付部材２４によって、前面１４ｃが斜め上方を向くように支柱１２間に固定されている。横板１４の前面１４ｃが斜め上方を向いているので、フェンス１０の通気性が確保される。なお、横板１４は支柱１２に直接固定されていてもよい。
【００１１】
横板１４の前面１４ｃには、太陽光発電パネル１６が設けられている。横板１４の前面１４ｃが斜め上方を向いているので、太陽光が太陽光発電パネル１６に対して垂直に近い角度で照射される。このため、太陽光発電パネル１６によって効率よく発電できる。なお、太陽光発電パネル１６は、全ての横板１４に設けられていなくてもよい。また、太陽光発電パネル１６の数量、材質、大きさ、および形状等は特に制限がないが、薄くて軽量な太陽光発電パネル１６が好ましい。
【００１２】
本実施形態では、縦板１８は、横板１４と同じ部材である。縦板１８は、横板１４の下方で支柱１２間に設けられている。具体的には、図２に示すように、縦板１８の溝１８ａが、支柱１２間にネジ止めされた取付部材２６の先端部に挟まれるように嵌め込まれている。また、縦板１８の下端１８ｃは埋設されている。このため、動物が地面を掘ってフェンス１０内に侵入するのを防げる。縦板１８を埋設する深さは、侵入を防ぎたい動物の種類や地面の固さなどに応じて適宜調整できる。なお、縦板１８の数量、材質、大きさ、および形状等は特に制限がない。
【００１３】
電線２０は金属線であり、横板１４の上方に設けられている。電線２０は、太陽光発電パネル１６で発電した電力によって電流が流れる。太陽光発電パネル１６で発電した電力をそのまま電線２０に供給して電流を流してもよいし、太陽光発電パネル１６の発電によって得られた電力を後述する蓄電装置２２に蓄えておき、蓄電装置２２から電線２０に電力を供給して電流を流してもよい。
【００１４】
蓄電装置２２は、支柱１２の後方に設置され、太陽光発電パネル１６で発電した電力を蓄える。蓄電装置２２の存在によって、雨天時、曇天時、または夜間でも、電線２０に電力が供給できる。電線２０に代えて、または電線２０と併せて、例えば、イルミネーションをフェンス１０に設け、蓄電装置２２から電力を供給して、夜間に点灯させてもよい。太陽光発電パネル１６、電線２０、蓄電装置２２、およびイルミネーションなどの電気機器の相互間の配線は、孔を設けた支柱１２の内部、横板１４の後面、または地中などを通過している。このため、美観を損ねないとともに、雨や紫外線等で配線が劣化するのを抑えている。
【００１５】
図４は、本発明の変形例に係るフェンス３０の側方の断面の一部を拡大して示している。フェンス３０は、横板３４が回動軸３６を介して支柱１２に取り付けられている点で、フェンス１０と異なる。横板３４が支柱１２に取り付けられている機構を除いて、フェンス３０はフェンス１０と同様である。回動軸３６は、太陽光発電パネル１６と蓄電装置の少なくとも一方からの電力を受けて回動する。回動軸３６が回動すると横板３４も回動する。すなわち、太陽光発電パネル１６で発電した電力によって、横板３４の前面３４ａの向きが変更できる。このため、太陽光発電パネル１６の発電効率がよい角度に横板３４を向けたり、通風の拡大または遮断を調整したりできる。なお、回動軸３６は、横板３４の上端部または下端部に設けてもよい。
【符号の説明】
【００１６】
１０      フェンス
１２      支柱
１４      横板
１４ａ  溝
１４ｂ  溝
１４ｃ  前面
１６      太陽光発電パネル
１８      縦板
１８ａ  溝
１８ｃ  下端
２０      電線
２２      蓄電装置
２４      取付部材
２４ａ  上端部
２４ｂ  下端部
２６      取付部材
３０      フェンス
３４      横板
３４ａ  前面
３６      回動軸
【図１】
0003213604.tif 000003
【図２】
0003213604.tif 000004
【図３】
0003213604.tif 000005
【図４】
0003213604.tif 000006